【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
アイアン・タイプ・ゴルフ・クラブ・ヘッドであって、
第１の硬度を有する第１の材料を含む打球フェース部材であって、後面を含む前記打撃フェース部材と、
第２の硬度を有する第２の材料を含む後方ウェイト部材であって、前面を含む前記後方ウェイト部材と、を備え、
前記後方ウェイト部材の前記前面および前記打撃フェース部材の前記後面は、互いに概して向き合っており、それらの間に空間を画定しており、
前記アイアン・タイプ・ゴルフ・クラブ・ヘッドは、
第３の硬度を有する第３の材料を含む少なくとも１つの弾性部材であって、前記空間に位置している前記少なくとも１つの弾性部材と、
前記空間内に配置され、前記前面および前記後面のうちの少なくとも１つと接触する少なくとも１つの係合部材と、をさらに備え、
前記第３の硬度は、前記第１の硬度および前記第２の硬度よりも小さく、
前記少なくとも１つの係合部材は、前記空間内で前記後面と前記前面との間の方向に延びて前記打撃フェース部材と前記後方ウェイト部材との間で前記空間の圧縮率を制限する少なくとも３つの分離された支持構造を画定し、
前記少なくとも３つの分離された支持構造は、（ａ）前記少なくとも３つの分離された支持構造の付近にある低圧縮率の区域と、（ｂ）前記少なくとも３つの分離された支持構造から離れて位置する高圧縮率の区域と、に前記空間を分割し、
前記高圧縮率の区域は、前記低圧縮率の区域よりも高い圧縮率を有し、
前記少なくとも３つの分離された支持構造は、前記ゴルフ・クラブ・ヘッドの重心が前記少なくとも３つの分離された支持構造によって画定される周辺部内に位置するように前記重心に対して配置されており、
前記少なくとも１つの弾性部材は、前記後方ウェイト部材の前記前面と前記打撃フェース部材の前記後面との間の前記空間内に配置され、少なくとも前記高圧縮率の区域内に位置し、
前記少なくとも１つの弾性部材は、前記高圧縮率の区域が前記打撃フェース部材に接触するゴルフ・ボールから力を受けるとき、前記高圧縮率の区域内で前記後面と前記前面との間の前記空間の圧縮率を許容するように圧縮可能である、
アイアン・タイプ・ゴルフ・クラブ・ヘッド。
【請求項２】
前記少なくとも１つの係合部材のうちの少なくとも１つは、前記フェース部材に固定的に接続される、請求項１に記載のアイアン・タイプ・ゴルフ・クラブ・ヘッド。
【請求項３】
前記少なくとも１つの係合部材のうちの少なくとも１つは、前記ウェイト部材に固定的に接続される、請求項１または２に記載のアイアン・タイプ・ゴルフ・クラブ・ヘッド。
【請求項４】
前記少なくとも１つの係合部材のうちの少なくとも１つは、前記フェース部材と一体に、前記フェース部材と同じ材料から形成される、請求項１から３のいずれか一項に記載のアイアン・タイプ・ゴルフ・クラブ・ヘッド。
【請求項５】
前記少なくとも１つの係合部材のうちの少なくとも１つは、前記ウェイト部材と一体に、前記ウェイト部材と同じ材料から形成される、請求項１から４のいずれか一項に記載のアイアン・タイプ・ゴルフ・クラブ・ヘッド。
【請求項６】
前記少なくとも１つの弾性部材の外側周辺部側面は、（ａ）目に見え、前記後面と前記前面との間に位置しており、（ｂ）少なくとも前記アイアン・タイプ・ゴルフ・クラブ・ヘッドの上部縁部、トウ縁部、およびソール縁部の周りを連続的に延びる、請求項１から５のいずれか一項に記載のアイアン・タイプ・ゴルフ・クラブ・ヘッド。
【請求項７】
前記少なくとも１つの弾性部材は、前記前面と前記後面の両方と接触する、請求項１から６のいずれか一項に記載のアイアン・タイプ・ゴルフ・クラブ・ヘッド。
【請求項８】
前記少なくとも１つの弾性部材は、前記前面と前記後面の両方に取り付けられる、請求項７に記載のアイアン・タイプ・ゴルフ・クラブ・ヘッド。
【請求項９】
前記少なくとも３つの分離された支持構造は、３つの分離された支持構造を構成し、
前記３つの分離された支持構造は、前記打撃フェースの前記後面と前記後方ウェイト部材の前記前面との間で延びて前記後面と前記前面とを直接接続する、請求項１から８のいずれか一項に記載のアイアン・タイプ・ゴルフ・クラブ・ヘッド。
【請求項１０】
前記少なくとも３つの分離された支持構造は、３つの分離された支持構造を構成する、請求項１から８のいずれか一項に記載のアイアン・タイプ・ゴルフ・クラブ・ヘッド。
【請求項１１】
前記少なくとも３つの分離された支持構造は、少なくとも３つの分離された支持構造を構成し、
前記少なくとも３つの分離された支持構造は、前記打撃フェースの前記後面と前記後方ウェイト部材の前記前面の間で延びて前記後面と前記前面とを直接接続する、請求項１から８のいずれか一項に記載のアイアン・タイプ・ゴルフ・クラブ・ヘッド。
【請求項１２】
前記第３の材料の弾性率は、前記第１の材料および前記第２の材料の各々の弾性率よりも小さく、
前記第３の材料の前記弾性率は、前記３つの分離された支持構造を構成する材料の弾性率よりも小さい、請求項１０に記載のアイアン・タイプ・ゴルフ・クラブ・ヘッド。
【請求項１３】
前記少なくとも３つの分離された支持構造は、４つの分離された支持構造を構成する、請求項１から８のいずれか一項に記載のアイアン・タイプ・ゴルフ・クラブ・ヘッド。
【請求項１４】
前記４つの分離された支持構造は、前記打撃フェースの前記後面と前記後方ウェイト部材の前記前面との間で延びて前記後面と前記前面とを直接接続する４つの分離された支持構造を構成する、請求項１３に記載のアイアン・タイプ・ゴルフ・クラブ・ヘッド。
【請求項１５】
前記少なくとも１つの弾性部材は、前記少なくとも３つの分離された支持構造および前記低圧縮率の区域を囲むように配置されている、請求項１から１４のいずれか一項に記載のアイアン・タイプ・ゴルフ・クラブ・ヘッド。
【請求項１６】
アイアン・タイプ・ゴルフ・クラブ・ヘッドであって、
第１の硬度を有する第１の材料を含む打撃フェース部材であって、後面を含む前記打撃フェース部材と、
第２の硬度を有する第２の材料を含む後方ウェイト部材であって、前面を含む前記後方ウェイト部材と、を備え、
前記後方ウェイト部材の前記前面および前記打撃フェース部材の前記後面は、互いに概して向き合っており、それらの間に空間を画定しており、
前記アイアン・タイプ・ゴルフ・クラブ・ヘッドは、
第３の硬度を有する第３の材料を含む少なくとも１つの弾性部材であって、前記空間に位置している前記少なくとも１つの弾性部材と、
前記空間内に配置され、前記前面および前記後面のうちの少なくとも１つと接触する少なくとも１つの係合部材と、をさらに備え、
前記第３の硬度は、前記第１の硬度および前記第２の硬度よりも小さく、
前記少なくとも１つの係合部材は、前記空間内で前記後面と前記前面との間の方向に延びて前記打撃フェース部材と前記後方ウェイト部材との間で前記空間の圧縮率を制限する少なくとも２つの分離された支持構造を画定し、
前記少なくとも２つの分離された支持構造は、（ａ）前記少なくとも２つの分離された支持構造の間に位置する低圧縮率の区域と、（ｂ）前記少なくとも２つの分離された支持構造から離れて位置する高圧縮率の区域と、に前記空間を分割し、
前記高圧縮率の区域は、前記低圧縮率の区域よりも高い圧縮率を有し、
前記少なくとも２つの分離された支持構造は、前記ゴルフ・クラブ・ヘッドの重心が前記少なくとも２つの分離された支持構造の間に位置する前記低圧縮率の領域内に位置するように前記重心に対して配置されており、
前記少なくとも１つの弾性部材は、前記後方ウェイト部材の前記前面と前記打撃フェース部材の前記後面との間の前記空間に配置され、少なくとも前記高圧縮率の区域内に位置し、
前記少なくとも１つの弾性部材は、前記高圧縮率の区域が前記打撃フェース部材に接触するゴルフ・ボールから力を受けるとき、前記高圧縮率の区域内で前記後面と前記前面との間の前記空間の圧縮率を許容するように圧縮可能である、
アイアン・タイプ・ゴルフ・クラブ・ヘッド。
【請求項１７】
前記少なくとも２つの分離された支持構造は、２つの分離された支持構造を構成する、請求項１６に記載のアイアン・タイプ・ゴルフ・クラブ・ヘッド。
【請求項１８】
前記少なくとも１つの弾性部材の外側周辺部側面は、（ａ）目に見え、前記後面と前記前面との間に位置しており、（ｂ）少なくとも前記アイアン・タイプ・ゴルフ・クラブ・ヘッドの上部縁部、トウ縁部、およびソール縁部の周りを連続的に延びる、請求項１６または１７に記載のアイアン・タイプ・ゴルフ・クラブ・ヘッド。
【請求項１９】
前記打撃フェース部材上にスコアラインをさらに備え、
前記少なくとも２つの分離された支持構造は、前記スコアラインと実質的に平行な線に沿って配置される、請求項１６から１８のいずれか一項に記載のアイアン・タイプ・ゴルフ・クラブ・ヘッド。
【請求項２０】
前記少なくとも２つの分離された支持構造は、直線的に配置される３つの分離された支持構造を構成する、請求項１６に記載のアイアン・タイプ・ゴルフ・クラブ・ヘッド。